(57)【要約】【課題】簡単な構造で大型化を招くことなく、マルチバンド化および低ＳＡＲ化を図ることができるようにすること。【解決手段】金属回転ヒンジ１０８、第1回路基板２０１、給電部４０１、多周波整合回路４０２、放射素子４０３、直列共振回路４０４を備える。ここで、直列共振回路４０４は、周波数ｆ１の電流を通過させ、周波数ｆ２の電流を遮断させる構成としている。周波数ｆ１においては金属回転ヒンジ１０８に給電を行い、周波数ｆ２においては放射素子４０３に給電を行うことでマルチバンド化を図る。また、周波数ｆ１において、金属回転ヒンジ１０８はアンテナ素子と兼用することで省スペース化を図っている。更に、放射素子４０３は、金属回転ヒンジ１０８と比較して通話時において人体頭部から遠方の位置に配置しているため、ＳＡＲの低減化を図ることができる。【選択図】図４
2010288259.tif 000002
【特許請求の範囲】
【請求項１】
第１筐体と第２筐体とからなる折り畳み式携帯型無線端末に搭載するアンテナ装置であって、
給電部と、
前記第１筐体と前記第２筐体とを連結するヒンジ部に設けられ、前記給電部と電気的に接続されて第１の周波数で動作する金属回転ヒンジと、
前記金属回転ヒンジと前記給電部との間に挿入されたフィルタ回路と、
前記給電部と電気的に接続されて前記第１の周波数より高い第２の周波数で動作する放射素子と、を備え、
前記給電部は、前記第１筐体内の回路基板の前記金属回転ヒンジ側に設けられ、
前記放射素子は、前記金属回転ヒンジと前記給電部との間に配置されることを特徴とするアンテナ装置。
【請求項２】
請求項１に記載のアンテナ装置であって、
前記放射素子は、前記第１筐体と第２筐体とが開いた状態において、前記金属回転ヒンジよりも背面に配置されることを特徴とするアンテナ装置。
【請求項３】
請求項１または請求項２に記載のアンテナ装置であって、
前記フィルタ回路は、前記金属回転ヒンジと前記放射素子との間に挿入されることを特徴とするアンテナ装置。
【請求項４】
請求項１または請求項２に記載のアンテナ装置であって、
前記フィルタ回路は、前記放射素子と前記給電部との間に挿入されることを特徴とするアンテナ装置。
【請求項５】
請求項１または請求項２に記載のアンテナ装置であって、
前記フィルタ回路は、前記金属回転ヒンジと前記給電部との間および前記放射素子と前記給電部との間に挿入されることを特徴とするアンテナ装置。
【請求項６】
請求項１から請求項５のいずれか一項に記載のアンテナ装置であって、
前記フィルタ回路は、前記第１の周波数の電流を通過させ、前記第２の周波数の電流を遮断させることを特徴とするアンテナ装置。
【請求項７】
請求項１から請求項５のいずれか一項に記載のアンテナ装置であって、
前記フィルタ回路は、前記第１の周波数の電流を遮断させ、前記第２の周波数の電流を通過させることを特徴とするアンテナ装置。
【請求項８】
請求項１から請求項７のいずれか一項に記載のアンテナ装置であって、
給電部の近傍に前記第１の周波数の略１／４波長の長さを有する地線をさらに具備することを特徴とするアンテナ装置。
【請求項９】
請求項１から請求項７のいずれか一項に記載のアンテナ装置であって、
給電部の近傍に前記第２の周波数の略１／４波長の長さを有する地線をさらに具備することを特徴とするアンテナ装置。
【請求項１０】
請求項１から請求項７のいずれか一項に記載のアンテナ装置であって、
給電部の近傍に前記第１の周波数および前記第２の周波数の略１／４波長の長さを有する地線をさらに具備することを特徴とするアンテナ装置。
【請求項１１】
請求項１から請求項１０のいずれか一項に記載のアンテナ装置が具備されることを特徴とする無線端末装置。
【請求項１２】
第１筐体と第２筐体とからなる折り畳み式携帯型無線端末に搭載するアンテナ装置であって、
給電部と、
前記第１筐体と前記第２筐体とを連結するヒンジ部に設けられ、前記給電部と電気的に接続される金属回転ヒンジと、
前記給電部と電気的に接続される放射素子と、
フィルタ回路と、を備え、
前記給電部は、前記第１筐体内の回路基板の前記金属回転ヒンジ側に設けられ、
前記放射素子は、前記金属回転ヒンジと前記給電部との間に配置され、
前記金属回転ヒンジは、第１の周波数から第ｎの周波数のいずれかの周波数で動作し、
前記放射素子は、前記金属回転ヒンジで動作する周波数以外の周波数で動作することを特徴とするアンテナ装置。
【請求項１３】
第１筐体と第２筐体とからなる折り畳み式携帯型無線端末に搭載するアンテナ装置であって、
給電部と、
前記第１筐体と前記第２筐体とを連結するヒンジ部に設けられ、前記給電部と電気的に接続される金属回転ヒンジと、
前記給電部と電気的に接続される放射素子と、
フィルタ回路と、を備え、
前記給電部は、前記第１筐体内の回路基板の前記金属回転ヒンジ側に設けられ、
前記放射素子は、前記第１筐体と第２筐体とが開いた状態において、前記金属回転ヒンジよりも背面に配置され、
前記金属回転ヒンジは、第１の周波数から第ｎの周波数のいずれかの周波数で動作し、
前記放射素子は、前記金属回転ヒンジで動作する周波数以外の周波数で動作することを特徴とするアンテナ装置。
【請求項１４】
請求項１２または請求項１３に記載のアンテナ装置が具備されることを特徴とする無線端末装置。
【発明の詳細な説明】
【技術分野】
【０００１】
本発明は、アンテナ装置に関し、例えば、携帯型無線端末に適用して好適なものである。
【背景技術】
【０００２】
今後の移動通信システムの動向として、より快適な通信環境を実現するために周波数の拡張または追加、更には新規通信サービスの提供が挙げられる。これに伴い、携帯型無線端末用アンテナは大型化または新規アンテナの追加を必要とする傾向にある。
【０００３】
しかしながら、近年では、携帯型無線端末等の通信装置は普及の一途をたどり、通信装置の更なる小型化が要望されている。このため、アンテナにおいても小型化の実現が必要となる。
【０００４】
従来、アンテナの小型化またはマルチバンド化技術として、特許文献１から特許文献２に開示されたものがある。以下、この特許文献１および特許文献２に開示された内容について説明する。
【０００５】
図１７は、特許文献１のアンテナ構成を示す図である。アンテナ装置１０は、第１筐体１１と第２筐体１２の開閉を行うヒンジ部１３における金属回転ヒンジ１４がアンテナとして用いられる。このため、特許文献１に記載のアンテナ装置は、新規にアンテナ素子を設けることなく、アンテナの省スペース化が可能となり、装置の小型化を図ることができる。
【０００６】
このように、特許文献１に記載のアンテナ装置は金属回転ヒンジをアンテナとして兼用し、装置の小型化を図っている。
【０００７】
また、金属回転ヒンジに放射素子を接続した構成を有するアンテナ装置がある。本アンテナ装置は、金属回転ヒンジと放射素子がアンテナとして用いられる。このため、金属回転ヒンジをアンテナとして兼用し、更に放射素子を設けることにより、装置の小型化およびマルチバンド化を図ることができる。
【０００８】
このように、本アンテナ装置は金属回転ヒンジをアンテナとして兼用し、更に放射素子を設けることにより装置の小型化およびマルチバンド化を図っている。
【０００９】
図１８は、特許文献２のアンテナ構成を示す図である。アンテナ装置２０は、セルラーアンテナ２１とデジタルＴＶアンテナ２２を有し、各アンテナには所望の周波数を通過させるフィルタ回路２３またはフィルタ回路２４が接続されている。このため、特許文献２に記載のアンテナ装置は、不要周波数のアンテナ電流の回り込みを抑圧し、装置のマルチバンド化を図っている。
【００１０】
このように、特許文献２に記載のアンテナ装置は各アンテナにフィルタ回路を接続し、装置のマルチバンド化を図っている。
【先行技術文献】
【特許文献】
【００１１】
【特許文献１】特開２００７−８８６９２号公報
【特許文献２】特開２００６−３１９４７７号公報
【発明の概要】
【発明が解決しようとする課題】
【００１２】
しかしながら、前記特許文献１のアンテナ装置は、金属回転ヒンジを単体で用いているため、マルチバンド化が困難である。また、セルラーアンテナとして使用する際には、通話時において金属回転ヒンジすなわちアンテナが頬の位置に近接するためＳＡＲ（Ｓｐｅｃｉｆｉｃ  Ａｂｓｏｒｐｔｉｏｎ  Ｒａｔｅ）の増加を招くという問題がある。
【００１３】
また、金属回転ヒンジに放射素子を接続した、従来のアンテナ装置は、金属回転ヒンジおよび放射素子に直接給電を行い、各々の共振周波数は、各々の電気長で調整しているため、電磁界結合の影響からアンテナの高性能化を図るためには、金属回転ヒンジと放射素子を近接して配置することが困難である。すなわち、アンテナ特性の向上にはアンテナ間のアイソレーション特性の確保が必要であり、例えば、放射素子を金属回転ヒンジから突出させてアイソレーション特性の確保を必要とするため、アンテナ装置の大型化を招くという問題がある。また、ＳＡＲの低減化から各アンテナに所望の周波数の電流を流すように給電ラインにスリット部を設けた構成もあるが、各々の共振周波数は各々の電気長で調整しているため、各周波数の電流を完全に分岐することは困難である。特に、金属回転ヒンジは体積が大きい金属体であり広帯域となることから、放射素子に流そうとした周波数の金属回転ヒンジへの漏れ電流は大きくなり、大幅なＳＡＲの低減化は困難であるという問題がある。
【００１４】
特許文献２のアンテナ装置はフィルタ回路を設け、各アンテナに所望の周波数の電流を流し、マルチバンド化を図っているが、ＳＡＲの低減化対策は行っていない。
【００１５】
本発明は、かかる点に鑑みてなされたもので、金属回転ヒンジと放射素子と共にフィルタ回路を用いることにより小型化、マルチバンド化および低ＳＡＲ化を実現する金属回転ヒンジ一体のアンテナ装置を提供することを目的とする。
【課題を解決するための手段】
【００１６】
かかる点を解決するため、本発明のアンテナ装置は、第１筐体と第２筐体とからなる折り畳み式携帯型無線端末に搭載するアンテナ装置であって、給電部と、前記第１筐体と前記第２筐体とを連結するヒンジ部に設けられ、前記給電部と電気的に接続されて第１の周波数で動作する金属回転ヒンジと、前記金属回転ヒンジと前記給電部との間に挿入されたフィルタ回路と、前記給電部と電気的に接続されて前記第１の周波数より高い第２の周波数で動作する放射素子と、を備え、
前記給電部が、前記第１筐体内の回路基板の前記金属回転ヒンジ側に設けられ、前記放射素子が、前記金属回転ヒンジと前記給電部との間に配置される構成を採る。
【００１７】
この構成により、金属回転ヒンジがアンテナとして兼用することにより小型化を図り、金属回転ヒンジ、放射素子およびフィルタ回路を用いることにより小型化およびマルチバンド化を図り、放射素子が携帯型無線端末の通話使用時において、金属回転ヒンジと比較して人体頭部から離れた位置に配置することにより低ＳＡＲ化を図る。
【００１８】
本発明のアンテナ装置は、携帯型無線端末に適用するアンテナ装置であって、給電部、金属回転ヒンジ、放射素子、フィルタ回路を備えている。ここで、金属回転ヒンジはアンテナ素子と兼用される。放射素子は、通話使用時において金属回転ヒンジと比較して人体頭部から離れた位置に配置される。フィルタ回路は、金属回転ヒンジで動作される周波数の電流を通過させ、放射素子で動作される周波数の電流を遮断させる。
【００１９】
この構成により、金属回転ヒンジをアンテナ素子として兼用することにより小型化を図り、金属回転ヒンジ、放射素子およびフィルタ回路を用いることによりマルチバンド化を図り、放射素子を通話使用時において、金属回転ヒンジと比較して人体頭部から離れた位置に配置することにより低ＳＡＲ化を図る。
【００２０】
本発明のアンテナ装置は、携帯型無線端末に適用するアンテナ装置であって、給電部、金属回転ヒンジ、放射素子、フィルタ回路を備えている。ここで、金属回転ヒンジはアンテナ素子と兼用される。放射素子は、通話使用時において金属回転ヒンジと比較して人体頭部から離れた位置に配置される。フィルタ回路は、金属回転ヒンジで動作される周波数の電流を遮断させ、放射素子で動作される周波数の電流を通過させる。
【００２１】
この構成により、金属回転ヒンジをアンテナ素子として兼用することにより小型化を図り、金属回転ヒンジ、放射素子およびフィルタ回路を用いることによりマルチバンド化を図り、放射素子を通話使用時において、金属回転ヒンジと比較して人体頭部から離れた位置に配置することにより低ＳＡＲ化を図る。
【発明の効果】
【００２２】
本発明によれば、簡単な構造で小型化およびマルチバンド化を図りつつ、低ＳＡＲ化を実現することができる。
【図面の簡単な説明】
【００２３】
【図１】本発明の実施の形態１に係るアンテナ装置を適用する携帯型無線端末の構成を示す概略正面図
【図２】本発明の実施の形態１に係るアンテナ装置を適用する携帯型無線端末の構成を示す概略背面図
【図３】本発明の実施の形態１に係るアンテナ装置を適用する携帯型無線端末の構成を示す概略側面図
【図４】本発明の実施の形態１に係るアンテナ装置の構成を示す概略斜視図
【図５】本発明の実施の形態１に係るアンテナ装置を搭載した携帯型無線端末と人体頭部の通話時における関係を示す概略図
【図６】本発明の実施の形態１に係るアンテナ装置を搭載した携帯型無線端末の開時におけるインピーダンス特性の一例を示す図
【図７】本発明の実施の形態１に係るアンテナ装置を搭載した携帯型無線端末の閉時におけるインピーダンス特性の一例を示す図
【図８】本発明の実施の形態２に係るアンテナ装置の構成を示す概略斜視図
【図９】本発明の実施の形態３に係るアンテナ装置の構成を示す概略斜視図
【図１０】本発明の実施の形態４に係るアンテナ装置の構成を示す概略斜視図
【図１１】本発明の実施の形態５に係るアンテナ装置の構成を示す概略斜視図
【図１２】本発明の実施の形態６に係るアンテナ装置の構成を示す概略斜視図
【図１３】本発明の実施の形態７に係るアンテナ装置の構成を示す概略斜視図
【図１４】本発明の実施の形態８に係るアンテナ装置の構成を示す概略斜視図
【図１５】本発明の実施の形態９に係るアンテナ装置の構成を示す概略斜視図
【図１６】本発明の実施の形態１０に係るアンテナ装置の構成を示す概略斜視図
【図１７】特許文献１のアンテナ構成を示す図
【図１８】特許文献２のアンテナ構成を示す図
【図１９】本発明の実施の形態１１に係るアンテナ装置の構成を示す概略斜視図
【図２０】本発明の実施の形態１２に係るアンテナ装置の構成を示す概略斜視図
【図２１】本発明の実施の形態１３に係るアンテナ装置の構成を示す概略斜視図
【図２２】本発明の実施の形態１４に係るアンテナ装置の構成を示す概略斜視図
【図２３】本発明の実施の形態１５に係るアンテナ装置の構成を示す概略斜視図
【図２４】本発明の実施の形態１６に係るアンテナ装置の構成を示す概略斜視図
【図２５】本発明の実施の形態１７に係るアンテナ装置の構成を示す概略斜視図
【図２６】本発明の実施の形態１８に係るアンテナ装置の構成を示す概略斜視図
【図２７】本発明の実施の形態１９に係るアンテナ装置の構成を示す概略斜視図
【図２８】本発明の実施の形態２０に係るアンテナ装置の構成を示す概略斜視図
【発明を実施するための形態】
【００２４】
以下、本発明の実施の形態について、図面を参照して詳細に説明する。なお、各図において同一の構成または機能を有する構成要素および相当部分には、同一の符号を付してその説明は繰り返さない。
【００２５】
（実施の形態１）
図１は、本発明の実施の形態１に係るアンテナ装置を適用する携帯型無線端末の構成を示す概略正面図である。図１に示すように、本実施の形態１に係わる携帯型無線端末１００は、第１筐体１０１、第２筐体１０２を備え、第１筐体１０１および第２筐体１０２は、ヒンジ部１０３により回動可能に連結され、開閉されるように構成されている。
【００２６】
第１筐体１０１には各種操作キーからなる操作部１０４、音声を入力するマイク１０５が設けられている。第２筐体１０２には各種情報を表示する表示部１０６、受話音声を出力する受話部１０７が設けられている。
【００２７】
第１筐体１０１と第２筐体１０２を連結するヒンジ部１０３には、金属体から構成される略円筒形状または略円柱形状等の金属回転ヒンジ１０８が設けられている。金属回転ヒンジ１０８は、互いに回動する第１部材１０９および第２部材１１０が連結された構造を有する。第１部材１０９は第１筐体１０１に構成される略円筒形状の第１樹脂部１１１と、第２部材１１０は第２筐体１０２に構成される略円筒形状の第２樹脂部１１２に機械的に固定されるため、金属回転ヒンジ１０８、第１樹脂部１０９および第２樹脂部１１０における回転の中心軸が同一となることにより、第１筐体１０１と第２筐体１０２を回動自在にできる。
【００２８】
図２は、本発明の実施の形態１に係るアンテナ装置を適用する携帯型無線端末の構成を示す概略背面図である。図２に示すように、本実施の形態１に係わる携帯型無線端末２００は、第１筐体１０１に第１回路基板２０１を備え、第２筐体１０２に第２回路基板２０２を備えている。ここで、金属回転ヒンジ１０８と第１回路基板２０１は所定の間隔Ｄ１、金属回転ヒンジ１０８と第２回路基板２０２は所定の間隔Ｄ２の間隔が設けられている。ヒンジ部１０３における金属回転ヒンジ１０８の反対側には第１回路基板２０１と第２回路基板２０２において情報伝達を行う信号ケーブル２０３が設けられている。信号ケーブル２０３の一端はコネクタ２０４を介して第１回路基板２０１に接続され、他端はコネクタ２０５を介して第２回路基板２０２と接続される。
【００２９】
図３は、本発明の実施の形態１に係るアンテナ装置を適用する携帯型無線端末の構成を示す概略側面図である。図３に示すように、本実施の形態１に係わる携帯型無線端末３００は、端末閉時においても、金属回転ヒンジ１０８と第１回路基板２０１との間隔Ｄ１、金属回転ヒンジ１０８と第２回路基板２０２との間隔Ｄ２が保持されるように構成されている。
【００３０】
このように、金属回転ヒンジ１０８は、開閉時において基板、すなわち金属体から所定の間隔Ｄ１およびＤ２が確保されるため開閉時における特性変化が少なく、また体積が大きいことから広帯域となるため、アンテナとして使用するのに適している。
【００３１】
図４は、本発明の実施の形態１に係るアンテナ装置の構成を示す概略斜視図である。図４に示すように、本実施の形態１に係るアンテナ装置４００は、第１部材１０９および第２部材１１０から構成される金属回転ヒンジ１０８、第１回路基板２０１、給電部４０１、多周波整合回路４０２、放射素子４０３、直列共振回路４０４を備えている。
【００３２】
図４において、第１回路基板２０１は、第１筐体１０１内に設けられ、網掛け部分は、アンテナ装置４００のグラウンドであり、この網掛け部分には図示しない無線送受信回路等が実装される。多周波整合回路４０２は、給電部４０１に接続される。放射素子４０３は、多周波整合回路４０２に接続される。直列共振回路４０４は、放射素子４０３に接続される。金属回転ヒンジ１０８は、直列共振回路４０４に接続される。
【００３３】
次に、本実施の形態１に係るアンテナ装置４００の周波数ｆ１および周波数ｆ２における動作について説明する。ここで、周波数ｆ１と周波数ｆ２は、周波数ｆ１＜周波数ｆ２の関係にあり、直列共振回路４０４は、周波数ｆ１の電流を通過させ、周波数ｆ２の電流を遮断させるインダクタおよびコンデンサから構成されるものとする。
【００３４】
このアンテナ装置４００において、金属回転ヒンジ１０８は体積が大きい金属体であることから電気長を必要とする低周波数帯の周波数ｆ１で用いる。すなわち、周波数ｆ１においては、給電部４０１から多周波整合回路４０２、放射素子４０３および直列共振回路４０４を介して金属回転ヒンジ１０８に給電される。このように金属回転ヒンジ１０８は、周波数ｆ１のアンテナ素子として兼用することで、省スペース化を図っている。周波数ｆ２においては、直列共振回路４０４によって周波数ｆ２の電流が遮断されるため、放射素子４０３に給電される。ここで、放射素子４０３は、周波数ｆ２において共振する素子長としている。また、放射素子４０３は、携帯型無線端末１００の通話使用時において、金属回転ヒンジ１０８と比較して頬から遠隔の位置となる。このように、放射素子４０３は金属回転ヒンジ１０８と比較して通話時において頬、すなわち人体頭部から離れた位置に配置されているため、ＳＡＲの低減化を図ることができる。
【００３５】
図５は、アンテナ装置４００を搭載した携帯型無線端末１００と人体頭部の通話時における関係を示す概略図である。図５に示すように、本関係５００には、金属回転ヒンジ１０８、放射素子４０３、人体頭部５０１を示しており、放射素子４０３は金属回転ヒンジ１０８と比較して頬、すなわち、人体頭部から離れた位置に構成される。
【００３６】
このようにアンテナ装置４００は、周波数ｆ１においては金属回転ヒンジ１０８をアンテナとして兼用することで省スペース化を図っている。周波数ｆ２においては、放射素子４０３をアンテナとして使用し、金属回転ヒンジ１０８と比較して通話時において人体頭部から離れた位置に設けることにより低ＳＡＲ化を図っている。また、直列共振回路４０４を設け、各アンテナ間のアイソレーション特性を確保しているため、例えば放射素子４０３を金属回転ヒンジ１０８から突出させてアイソレーション特性の確保を行うことなくアンテナ特性の高性能化を図ることができる。
【００３７】
図６に一例として、金属回転ヒンジ１０８と第1回路基板２０１との間隔Ｄ１を６ｍｍ、金属回転ヒンジ１０８と第２回路基板２０２との間隔Ｄ２を６ｍｍとした場合におけるアンテナ装置４００を搭載した携帯型無線端末１００の開時におけるインピーダンス特性６００を示す。ここで、周波数ｆ１は８００ＭＨｚ、周波数ｆ２は２ＧＨｚとしている。
【００３８】
図７に一例として、金属回転ヒンジ１０８と第1回路基板２０１との間隔Ｄ１を６ｍｍ、金属回転ヒンジ１０８と第２回路基板２０２との間隔Ｄ２を６ｍｍとした場合におけるアンテナ装置４００を搭載した携帯型無線端末１００の閉時におけるインピーダンス特性７００を示す。ここで、周波数ｆ１は８００ＭＨｚ、周波数ｆ２は２ＧＨｚとしている。
【００３９】
なお、一例として、金属回転ヒンジ１０８と第1回路基板２０１との間隔Ｄ１を６ｍｍ、金属回転ヒンジ１０８と第1回路基板２０２との間隔Ｄ２を６ｍｍとしたが、各間隔Ｄ１またはＤ２が小さくなっていく、すなわち金属回転ヒンジ１０８に金属体が近接していくに伴い、この近接金属体に放射電流が誘起されるため、アンテナ装置４００は狭帯域となっていく傾向にある。逆に、各間隔Ｄ１またはＤ２が大きくなっていくと広帯域となっていく傾向にある。このため、各間隔Ｄ１およびＤ２は、通信システムの周波数および周波数帯域幅を考慮して設計する必要がある。
【００４０】
上述のように、本実施の形態１に係るアンテナ装置４００によれば、小型化、マルチバンド化および低ＳＡＲ化を実現するアンテナ装置を提供することができる。
【００４１】
（実施の形態２）
図８は、本発明の実施の形態２に係るアンテナ装置の構成を示す概略斜視図である。本発明の実施の形態２は、既に説明した本発明の実施の形態１における直列共振回路が並列共振回路である点に特徴がある。
【００４２】
図８に示すように、本実施の形態２に係るアンテナ装置８００は、金属回転ヒンジ１０８、第１回路基板２０１、給電部４０１、多周波整合回路４０２、放射素子４０３、並列共振回路８０１を備えている。
【００４３】
図８において、第１回路基板２０１は、第１筐体１０１内に設けられ、網掛け部分は、アンテナ装置８００のグラウンドであり、この網掛け部分には図示しない無線送受信回路等が実装される。多周波整合回路４０２は、給電部４０１に接続される。放射素子４０３は、多周波整合回路４０２に接続される。並列共振回路８０１は、放射素子４０３に接続される。金属回転ヒンジ１０８は、並列共振回路８０１に接続される。
【００４４】
次に、本実施の形態２に係るアンテナ装置８００の周波数ｆ１および周波数ｆ２における動作について説明する。ここで、周波数ｆ１と周波数ｆ２は、周波数ｆ１＜周波数ｆ２の関係にあり、並列共振回路８０１は、周波数ｆ１の電流を通過させ、周波数ｆ２の電流を遮断させるインダクタおよびコンデンサから構成されるものとする。
【００４５】
このアンテナ装置８００において、金属回転ヒンジ１０８は体積が大きい金属体であることから電気長を必要とする低周波数帯の周波数ｆ１で用いる。すなわち、周波数ｆ１においては、給電部４０１から多周波整合回路４０２、放射素子４０３および並列共振回路８０１を介して金属回転ヒンジ１０８に給電される。このように金属回転ヒンジ１０８は、周波数ｆ１のアンテナ素子として兼用することで、省スペース化を図っている。周波数ｆ２においては、並列共振回路８０１によって周波数ｆ２の電流が遮断されるため、放射素子４０３に給電される。ここで、放射素子４０３は、周波数ｆ２において共振する素子長としている。
【００４６】
放射素子４０３は、携帯型無線端末１００の通話使用時において、金属回転ヒンジ１０８と比較して頬から遠隔の位置となる。このように、放射素子４０３は金属回転ヒンジ１０８と比較して通話時において頬、すなわち人体頭部から離れた位置に配置されているため、ＳＡＲの低減化を図ることができる。また、並列共振回路８０１を設け、各アンテナ間のアイソレーション特性を確保しているため、アンテナ特性の高性能化を図ることができる。
【００４７】
上述のように、本実施の形態２に係るアンテナ装置８００によれば、小型化、マルチバンド化および低ＳＡＲ化を実現するアンテナ装置を提供することができる。
【００４８】
（実施の形態３）
図９は、本発明の実施の形態３に係るアンテナ装置の構成を示す概略斜視図である。本発明の実施の形態３は、既に説明した本発明の実施の形態１における直列共振回路がフィルタ回路である点に特徴がある。
【００４９】
図９に示すように、本実施の形態３に係るアンテナ装置９００は、金属回転ヒンジ１０８、第１回路基板２０１、給電部４０１、多周波整合回路４０２、放射素子４０３、フィルタ回路９０１を備えている。
【００５０】
図９において、第１回路基板２０１は、第１筐体１０１内に設けられ、網掛け部分は、アンテナ装置９００のグラウンドであり、この網掛け部分には図示しない無線送受信回路等が実装される。多周波整合回路４０２は、給電部４０１に接続される。放射素子４０３は、多周波整合回路４０２に接続される。フィルタ回路９０１は、放射素子４０３に接続される。金属回転ヒンジ１０８は、フィルタ回路９０１に接続される。
【００５１】
次に、本実施の形態３に係るアンテナ装置９００の周波数ｆ１および周波数ｆ２における動作について説明する。ここで、周波数ｆ１と周波数ｆ２は、周波数ｆ１＜周波数ｆ２の関係にあり、フィルタ回路９０１は、周波数ｆ１の電流を通過させ、周波数ｆ２の電流を遮断させるローパスフィルタ、バンドパスフィルタ、またはバンドリジェクトフィルタ等のフィルタ回路から構成されるものとする。
【００５２】
このアンテナ装置９００において、金属回転ヒンジ１０８は体積が大きい金属体であることから電気長を必要とする低周波数帯の周波数ｆ１で用いる。すなわち、周波数ｆ１においては、給電部４０１から多周波整合回路４０２、放射素子４０３およびフィルタ回路９０１を介して金属回転ヒンジ１０８に給電される。このように金属回転ヒンジ１０８は、周波数ｆ１のアンテナ素子として兼用することで、省スペース化を図っている。周波数ｆ２においては、フィルタ回路９０１によって周波数ｆ２の電流が遮断されるため、放射素子４０３に給電される。ここで、放射素子４０３は、周波数ｆ２において共振する素子長としている。
【００５３】
放射素子４０３は、携帯型無線端末１００の通話使用時において、金属回転ヒンジ１０８と比較して頬から遠隔の位置となる。このように、放射素子４０３は金属回転ヒンジ１０８と比較して通話時において頬、すなわち人体頭部から離れた位置に配置されているため、ＳＡＲの低減化を図ることができる。また、フィルタ回路９０１を設け、各アンテナ間のアイソレーション特性を確保しているため、アンテナ特性の高性能化を図ることができる。
【００５４】
上述のように、本実施の形態３に係るアンテナ装置９００によれば、小型化、マルチバンド化および低ＳＡＲ化を実現するアンテナ装置を提供することができる。
【００５５】
（実施の形態４）
図１０は、本発明の実施の形態４に係るアンテナ装置の構成を示す概略斜視図である。本発明の実施の形態４は、既に説明した本発明の実施の形態３におけるフィルタ回路の配置位置を変更した点に特徴がある。
【００５６】
図１０に示すように、本実施の形態４に係るアンテナ装置１０００は、金属回転ヒンジ１０８、第１回路基板２０１、給電部４０１、多周波整合回路４０２、放射素子４０３、フィルタ回路１００１を備えている。
【００５７】
図１０において、第１回路基板２０１は、第１筐体１０１内に設けられ、網掛け部分は、アンテナ装置１０００のグラウンドであり、この網掛け部分には図示しない無線送受信回路等が実装される。多周波整合回路４０２は、給電部４０１に接続される。金属回転ヒンジ１０８は、多周波整合回路４０２に接続される。フィルタ回路１００１は、金属回転ヒンジ１０８に接続される。放射素子４０３は、フィルタ回路１００１に接続される。
【００５８】
これにより、前記放射素子４０３は、前記金属回転ヒンジ１０８の背面、または図示しない前記第２筐体１０２内に配置することが可能となる。
【００５９】
次に、本実施の形態４に係るアンテナ装置１０００の周波数ｆ１および周波数ｆ２における動作について説明する。ここで、周波数ｆ１と周波数ｆ２は、周波数ｆ１＜周波数ｆ２の関係にあり、フィルタ回路１００１は、周波数ｆ１の電流を遮断させ、周波数ｆ２の電流を通過させる直列共振回路、並列共振回路、ハイパスフィルタ、バンドパスフィルタ、またはバンドリジェクトフィルタ等のフィルタ回路から構成されるものとする。
【００６０】
このアンテナ装置１０００において、金属回転ヒンジ１０８は体積が大きい金属体であることから電気長を必要とする低周波数帯の周波数ｆ１で用いる。すなわち、周波数ｆ１においては、給電部４０１から多周波整合回路４０２を介して金属回転ヒンジ１０８に給電される。このように金属回転ヒンジ１０８は、周波数ｆ１のアンテナ素子として兼用することで、省スペース化を図っている。周波数ｆ２においては、フィルタ回路１００１によって周波数ｆ２の電流が通過されるため、放射素子４０３に給電される。ここで、放射素子４０３は、周波数ｆ２において共振する素子長としている。
【００６１】
放射素子４０３は、携帯型無線端末１００の通話使用時において、金属回転ヒンジ１０８と比較して頬から遠隔の位置となる。このように、放射素子４０３は金属回転ヒンジ１０８と比較して通話時において頬、すなわち人体頭部から離れた位置に配置されているため、ＳＡＲの低減化を図ることができる。また、フィルタ回路１００１を設け、各アンテナ間のアイソレーション特性を確保しているため、アンテナ特性の高性能化を図ることができる。
【００６２】
上述のように、本実施の形態４に係るアンテナ装置１０００によれば、小型化、マルチバンド化および低ＳＡＲ化を実現するアンテナ装置を提供することができる。
【００６３】
（実施の形態５）
図１１は、本発明の実施の形態５に係るアンテナ装置の構成を示す概略斜視図である。本発明の実施の形態５は、既に説明した本発明の実施の形態３における給電部からの給電経路を変更した点に特徴がある。
【００６４】
図１１に示すように、本実施の形態５に係るアンテナ装置１１００は、金属回転ヒンジ１０８、第１回路基板２０１、給電部４０１、多周波整合回路４０２、放射素子４０３、フィルタ回路１１０１を備えている。
【００６５】
図１１において、第１回路基板２０１は、第１筐体１０１内に設けられ、網掛け部分は、アンテナ装置１１００のグラウンドであり、この網掛け部分には図示しない無線送受信回路等が実装される。多周波整合回路４０２は、給電部４０１に接続される。フィルタ回路１１０１は、多周波整合回路４０２に接続される。金属回転ヒンジ１０８は、フィルタ回路１１０１に接続される。放射素子４０３は、多周波整合回路４０２に接続される。
【００６６】
これにより、前記放射素子４０３は、前記金属回転ヒンジ１０８の背面、または図示しない前記第２筐体１０２内に配置することが可能となる。
【００６７】
次に、本実施の形態５に係るアンテナ装置１１００の周波数ｆ１および周波数ｆ２における動作について説明する。ここで、周波数ｆ１と周波数ｆ２は、周波数ｆ１＜周波数ｆ２の関係にあり、フィルタ回路１１０１は、周波数ｆ１の電流を通過させ、周波数ｆ２の電流を遮断させる直列共振回路、並列共振回路、ローパスフィルタ、バンドパスフィルタ、またはバンドリジェクトフィルタ等のフィルタ回路から構成されるものとする。
【００６８】
このアンテナ装置１１００において、金属回転ヒンジ１０８は体積が大きい金属体であることから電気長を必要とする低周波数帯の周波数ｆ１で用いる。すなわち、周波数ｆ１においては、給電部４０１から多周波整合回路４０２およびフィルタ回路１１０１を介して金属回転ヒンジ１０８に給電される。このように金属回転ヒンジ１０８は、周波数ｆ１のアンテナ素子として兼用することで、省スペース化を図っている。周波数ｆ２においては、フィルタ回路１１０１によって周波数ｆ２の電流が遮断されるため、放射素子４０３に給電される。ここで、放射素子４０３は、周波数ｆ２において共振する素子長としている。
【００６９】
放射素子４０３は、携帯型無線端末１００の通話使用時において、金属回転ヒンジ１０８と比較して頬から遠隔の位置となる。このように、放射素子４０３は金属回転ヒンジ１０８と比較して通話時において頬、すなわち人体頭部から離れた位置に配置されているため、ＳＡＲの低減化を図ることができる。また、フィルタ回路１１０１を設け、各アンテナ間のアイソレーション特性を確保しているため、アンテナ特性の高性能化を図ることができる。
【００７０】
上述のように、本実施の形態５に係るアンテナ装置１１００によれば、小型化、マルチバンド化および低ＳＡＲ化を実現するアンテナ装置を提供することができる。
【００７１】
（実施の形態６）
図１２は、本発明の実施の形態６に係るアンテナ装置の構成を示す概略斜視図である。本発明の実施の形態６は、既に説明した本発明の実施の形態５におけるフィルタ回路の配置位置を変更した点に特徴がある。
【００７２】
図１２に示すように、本実施の形態６に係るアンテナ装置１２００は、金属回転ヒンジ１０８、第１回路基板２０１、給電部４０１、多周波整合回路４０２、放射素子４０３、フィルタ回路１２０１を備えている。
【００７３】
図１２において、第１回路基板２０１は、第１筐体１０１内に設けられ、網掛け部分は、アンテナ装置１２００のグラウンドであり、この網掛け部分には図示しない無線送受信回路等が実装される。多周波整合回路４０２は、給電部４０１に接続される。金属回転ヒンジ１０８は、多周波整合回路４０２に接続される。フィルタ回路１２０１は、多周波整合回路４０２に接続される。放射素子４０３は、フィルタ回路１２０１に接続される。
【００７４】
次に、本実施の形態６に係るアンテナ装置１２００の周波数ｆ１および周波数ｆ２における動作について説明する。ここで、周波数ｆ１と周波数ｆ２は、周波数ｆ１＜周波数ｆ２の関係にあり、フィルタ回路１２０１は、周波数ｆ１の電流を遮断させ、周波数ｆ２の電流を通過させる直列共振回路、並列共振回路、ハイパスフィルタ、バンドパスフィルタ、またはバンドリジェクトフィルタ等のフィルタ回路から構成されるものとする。
【００７５】
このアンテナ装置１２００において、金属回転ヒンジ１０８は体積が大きい金属体であることから電気長を必要とする低周波数帯の周波数ｆ１で用いる。すなわち、周波数ｆ１においては、給電部４０１から多周波整合回路４０２を介して金属回転ヒンジ１０８に給電される。このように金属回転ヒンジ１０８は、周波数ｆ１のアンテナ素子として兼用することで、省スペース化を図っている。周波数ｆ２においては、フィルタ回路１２０１によって周波数ｆ２の電流が通過されるため、放射素子４０３に給電される。ここで、放射素子４０３は、周波数ｆ２において共振する素子長としている。
【００７６】
放射素子４０３は、携帯型無線端末１００の通話使用時において、金属回転ヒンジ１０８と比較して頬から遠隔の位置となる。このように、放射素子４０３は金属回転ヒンジ１０８と比較して通話時において頬、すなわち人体頭部から離れた位置に配置されているため、ＳＡＲの低減化を図ることができる。また、フィルタ回路１２０１を設け、各アンテナ間のアイソレーション特性を確保しているため、アンテナ特性の高性能化を図ることができる。
【００７７】
上述のように、本実施の形態６に係るアンテナ装置１２００によれば、小型化、マルチバンド化および低ＳＡＲ化を実現するアンテナ装置を提供することができる。
【００７８】
（実施の形態７）
図１３は、本発明の実施の形態７に係るアンテナ装置の構成を示す概略斜視図である。本発明の実施の形態７は、既に説明した本発明の実施の形態５におけるフィルタ回路を放射素子にも接続した点に特徴がある。
【００７９】
図１３に示すように、本実施の形態７に係るアンテナ装置１３００は、金属回転ヒンジ１０８、第１回路基板２０１、給電部４０１、多周波整合回路４０２、放射素子４０３、フィルタ回路１３０１、フィルタ回路１３０２を備えている。
【００８０】
図１３において、第１回路基板２０１は、第１筐体１０１内に設けられ、網掛け部分は、アンテナ装置１３００のグラウンドであり、この網掛け部分には図示しない無線送受信回路等が実装される。多周波整合回路４０２は、給電部４０１に接続される。フィルタ回路１３０１は、多周波整合回路４０２に接続される。金属回転ヒンジ１０８は、フィルタ回路１３０１に接続される。フィルタ回路１３０２は、多周波整合回路４０２に接続される。放射素子４０３は、フィルタ回路１３０２に接続される。
【００８１】
これにより、前記放射素子４０３と前記金属回転ヒンジ１０８との高アイソレーション特性の確保が容易となる。
【００８２】
次に、本実施の形態７に係るアンテナ装置１３００の周波数ｆ１および周波数ｆ２における動作について説明する。ここで、周波数ｆ１と周波数ｆ２は、周波数ｆ１＜周波数ｆ２の関係にあり、フィルタ回路１３０１は、周波数ｆ１の電流を通過させ、周波数ｆ２の電流を遮断させるフィルタ回路から構成されるものとする。フィルタ回路１３０２は、周波数ｆ１の電流を遮断させ、周波数ｆ２の電流を通過させるフィルタ回路から構成されるものとする。
【００８３】
このアンテナ装置１３００において、金属回転ヒンジ１０８は体積が大きい金属体であることから電気長を必要とする低周波数帯の周波数ｆ１で用いる。すなわち、周波数ｆ１においては、給電部４０１から多周波整合回路４０２およびフィルタ回路１３０１を介して金属回転ヒンジ１０８に給電される。このように金属回転ヒンジ１０８は、周波数ｆ１のアンテナ素子として兼用することで、省スペース化を図っている。周波数ｆ２においては、給電部４０１から多周波整合回路４０２およびフィルタ回路１３０２を介して放射素子４０３に給電される。ここで、放射素子４０３は、周波数ｆ２において共振する素子長としている。
【００８４】
放射素子４０３は、携帯型無線端末１００の通話使用時において、金属回転ヒンジ１０８と比較して頬から遠隔の位置となる。このように、放射素子４０３は金属回転ヒンジ１０８と比較して通話時において頬、すなわち人体頭部から離れた位置に配置されているため、ＳＡＲの低減化を図ることができる。また、フィルタ回路１３０１およびフィルタ回路１３０２を設け、各アンテナ間のアイソレーション特性を確保しているため、アンテナ特性の高性能化を図ることができる。
【００８５】
上述のように、本実施の形態７に係るアンテナ装置１３００によれば、小型化、マルチバンド化および低ＳＡＲ化を実現するアンテナ装置を提供することができる。
【００８６】
（実施の形態８）
図１４は、本発明の実施の形態８に係るアンテナ装置の構成を示す概略斜視図である。本発明の実施の形態８は、既に説明した本発明の実施の形態１から７において周波数ｆ１で共振する地線を追加した点に特徴がある。
【００８７】
図１４に示すように、本実施の形態８に係るアンテナ装置１４００は、金属回転ヒンジ１０８、第１回路基板２０１、給電部４０１、多周波整合回路４０２、放射素子４０３、フィルタ回路１４０１、地線１４０２を備えている。
【００８８】
図１４において、第１回路基板２０１は、第１筐体１０１内に設けられ、網掛け部分は、アンテナ装置１４００のグラウンドであり、この網掛け部分には図示しない無線送受信回路等が実装される。多周波整合回路４０２は、給電部４０１に接続される。放射素子４０３は、多周波整合回路４０２に接続される。フィルタ回路１４０１は、放射素子４０３に接続される。金属回転ヒンジ１０８は、フィルタ回路１４０１に接続される。地線１４０２は、給電部４０１近傍のグラウンドに接続される。
【００８９】
次に、本実施の形態８に係るアンテナ装置１４００の周波数ｆ１および周波数ｆ２における動作について説明する。ここで、周波数ｆ１と周波数ｆ２は、周波数ｆ１＜周波数ｆ２の関係にあり、フィルタ回路１４０１は、周波数ｆ１の電流を通過させ、周波数ｆ２の電流を遮断させるフィルタ回路から構成されるものとする。地線１４０２は、周波数ｆ１の略１／４波長の長さを有するものとする。
【００９０】
このアンテナ装置１４００において、金属回転ヒンジ１０８は体積が大きい金属体であることから電気長を必要とする低周波数帯の周波数ｆ１で用いる。すなわち、周波数ｆ１においては、給電部４０１から多周波整合回路４０２、放射素子４０３およびフィルタ回路１４０１を介して金属回転ヒンジ１０８に給電される。このように金属回転ヒンジ１０８は、周波数ｆ１のアンテナ素子として兼用することで、省スペース化を図っている。また、給電部４０１近傍のグラウンドに地線１４０２を設け、この地線１４０２に周波数ｆ１の電流を誘起させることにより、第１回路基板２０１への漏洩電流の抑圧および広帯域化を図っている。周波数ｆ２においては、フィルタ回路１４０１によって周波数ｆ２の電流が遮断されるため、放射素子４０３に給電される。ここで、放射素子４０３は、周波数ｆ２において共振する素子長としている。
【００９１】
放射素子４０３は、携帯型無線端末１００の通話使用時において、金属回転ヒンジ１０８と比較して頬から遠隔の位置となる。このように、放射素子４０３は金属回転ヒンジ１０８と比較して通話時において頬、すなわち人体頭部から離れた位置に配置されているため、ＳＡＲの低減化を図ることができる。また、フィルタ回路１４０１を設け、各アンテナ間のアイソレーション特性を確保しているため、アンテナ特性の高性能化を図ることができる。
【００９２】
上述のように、本実施の形態８に係るアンテナ装置１４００によれば、小型化、マルチバンド化および低ＳＡＲ化を実現するアンテナ装置を提供することができる。
【００９３】
（実施の形態９）
図１５は、本発明の実施の形態９に係るアンテナ装置の構成を示す概略斜視図である。本発明の実施の形態９は、既に説明した本発明の実施の形態８における地線が周波数ｆ２において共振する点に特徴がある。
【００９４】
図１５に示すように、本実施の形態９に係るアンテナ装置１５００は、金属回転ヒンジ１０８、第１回路基板２０１、給電部４０１、多周波整合回路４０２、放射素子４０３、フィルタ回路１５０１、地線１５０２を備えている。
【００９５】
図１５において、第１回路基板２０１は、第１筐体１０１内に設けられ、網掛け部分は、アンテナ装置１５００のグラウンドであり、この網掛け部分には図示しない無線送受信回路等が実装される。多周波整合回路４０２は、給電部４０１に接続される。放射素子４０３は、多周波整合回路４０２に接続される。フィルタ回路１５０１は、放射素子４０３に接続される。金属回転ヒンジ１０８は、フィルタ回路１５０１に接続される。地線１５０２は、給電部４０１近傍のグラウンドに接続される。
【００９６】
次に、本実施の形態９に係るアンテナ装置１５００の周波数ｆ１および周波数ｆ２における動作について説明する。ここで、周波数ｆ１と周波数ｆ２は、周波数ｆ１＜周波数ｆ２の関係にあり、フィルタ回路１５０１は、周波数ｆ１の電流を通過させ、周波数ｆ２の電流を遮断させるフィルタ回路から構成されるものとする。地線１５０２は、周波数ｆ２の略１／４波長の長さを有するものとする。
【００９７】
このアンテナ装置１５００において、金属回転ヒンジ１０８は体積が大きい金属体であることから電気長を必要とする低周波数帯の周波数ｆ１で用いる。すなわち、周波数ｆ１においては、給電部４０１から多周波整合回路４０２、放射素子４０３およびフィルタ回路１５０１を介して金属回転ヒンジ１０８に給電される。このように金属回転ヒンジ１０８は、周波数ｆ１のアンテナ素子として兼用することで、省スペース化を図っている。周波数ｆ２においては、フィルタ回路１５０１によって周波数ｆ２の電流が遮断されるため、放射素子４０３に給電される。ここで、放射素子４０３は、周波数ｆ２において共振する素子長としている。また、給電部４０１近傍のグラウンドに地線１５０２を設け、この地線１５０２に周波数ｆ２の電流を誘起させることにより、第１回路基板２０１への漏洩電流の抑圧および広帯域化を図っている。
【００９８】
放射素子４０３は、携帯型無線端末１００の通話使用時において、金属回転ヒンジ１０８と比較して頬から遠隔の位置となる。このように、放射素子４０３は金属回転ヒンジ１０８と比較して通話時において頬、すなわち人体頭部から離れた位置に配置されているため、ＳＡＲの低減化を図ることができる。また、フィルタ回路１５０１を設け、各アンテナ間のアイソレーション特性を確保しているため、アンテナ特性の高性能化を図ることができる。
【００９９】
上述のように、本実施の形態９に係るアンテナ装置１５００によれば、小型化、マルチバンド化および低ＳＡＲ化を実現するアンテナ装置を提供することができる。
【０１００】
（実施の形態１０）
図１６は、本発明の実施の形態１０に係るアンテナ装置の構成を示す概略斜視図である。本発明の実施の形態１０は、既に説明した本発明の実施の形態８における地線が周波数ｆ１および周波数ｆ２で共振する点に特徴がある。
【０１０１】
図１６に示すように、本実施の形態１０に係るアンテナ装置１６００は、金属回転ヒンジ１０８、第１回路基板２０１、給電部４０１、多周波整合回路４０２、放射素子４０３、フィルタ回路１６０１、地線１６０２、フィルタ回路１６０３、放射素子１６０４を備えている。
【０１０２】
図１６において、第１回路基板２０１は、第１筐体１０１内に設けられ、網掛け部分は、アンテナ装置１６００のグラウンドであり、この網掛け部分には図示しない無線送受信回路等が実装される。多周波整合回路４０２は、給電部４０１に接続される。放射素子４０３は、多周波整合回路４０２に接続される。フィルタ回路１６０１は、放射素子４０３に接続される。金属回転ヒンジ１０８は、フィルタ回路１６０１に接続される。地線１６０２は、給電部４０１近傍のグラウンドに接続される。フィルタ回路１６０３は、地線１６０２に接続される。放射素子１６０４は、フィルタ回路１６０３に接続される。
【０１０３】
次に、本実施の形態１０に係るアンテナ装置１６００の周波数ｆ１および周波数ｆ２における動作について説明する。ここで、周波数ｆ１と周波数ｆ２は、周波数ｆ１＜周波数ｆ２の関係にあり、フィルタ回路１６０１は、周波数ｆ１の電流を通過させ、周波数ｆ２の電流を遮断させるフィルタ回路から構成されるものとする。地線１６０２は、周波数ｆ２の略１／４波長の長さを有するものとする。フィルタ回路１６０３は、周波数ｆ１の電流を通過させ、周波数ｆ２の電流を遮断させるフィルタ回路から構成されるものとする。放射素子１６０４は、フィルタ回路１６０３と地線１６０２と共に周波数ｆ１の略１／４波長の長さを有するものとする。
【０１０４】
このアンテナ装置１６００において、金属回転ヒンジ１０８は体積が大きい金属体であることから電気長を必要とする低周波数帯の周波数ｆ１で用いる。すなわち、周波数ｆ１においては、給電部４０１から多周波整合回路４０２、放射素子４０３およびフィルタ回路１６０１を介して金属回転ヒンジ１０８に給電される。このように金属回転ヒンジ１０８は、周波数ｆ１のアンテナ素子として兼用することで、省スペース化を図っている。また、給電部４０１近傍のグラウンドに地線１６０２、フィルタ回路１６０３および放射素子１６０４を設け、これらに周波数ｆ１の電流を誘起させることにより、第１回路基板２０１への漏洩電流の抑圧および広帯域化を図っている。周波数ｆ２においては、フィルタ回路１６０１によって周波数ｆ２の電流が遮断されるため、放射素子４０３に給電される。ここで、放射素子４０３は、周波数ｆ２において共振する素子長としている。また、給電部４０１近傍のグラウンドに地線１６０２を設け、この地線１６０２に周波数ｆ２の電流を誘起させることにより、第１回路基板２０１への漏洩電流の抑圧および広帯域化を図っている。
【０１０５】
放射素子４０３は、携帯型無線端末１００の通話使用時において、金属回転ヒンジ１０８と比較して頬から遠隔の位置となる。このように、放射素子４０３は金属回転ヒンジ１０８と比較して通話時において頬、すなわち人体頭部から離れた位置に配置されているため、ＳＡＲの低減化を図ることができる。また、フィルタ回路１６０１を設け、各アンテナ間のアイソレーション特性を確保しているため、アンテナ特性の高性能化を図ることができる。
【０１０６】
上述のように、本実施の形態１０に係るアンテナ装置１６００によれば、小型化、マルチバンド化および低ＳＡＲ化を実現するアンテナ装置を提供することができる。
【０１０７】
（実施の形態１１）
図１９は、本発明の実施の形態１１に係るアンテナ装置の構成を示す概略斜視図である。本発明の実施の形態１１は、既に説明した本発明の実施の形態１における金属回転ヒンジと放射素子で動作される周波数は、周波数の大小により規定しない点および２周波以上の周波数においても使用可能とする点に特徴がある。これにより、金属回転ヒンジを高周波数ｆ２のアンテナ素子として兼用し、放射素子は、低周波数ｆ１のアンテナ素子として動作させることができる。また、金属回転ヒンジで動作させる周波数ｆ１またはｆ２以外の複数の周波数を放射素子で動作させることも可能となる。
【０１０８】
図１９に示すように、本実施の形態１１に係るアンテナ装置１９００は、金属回転ヒンジ１０８、第１回路基板２０１、給電部４０１、多周波整合回路４０２、放射素子４０３、直列共振回路１９０１を備えている。
【０１０９】
図１９において、第１回路基板２０１は、第１筐体１０１内に設けられ、網掛け部分は、アンテナ装置１９００のグラウンドであり、この網掛け部分には図示しない無線送受信回路等が実装される。多周波整合回路４０２は、給電部４０１に接続される。放射素子４０３は、多周波整合回路４０２に接続される。直列共振回路１９０１は、放射素子４０３に接続される。金属回転ヒンジ１０８は、直列共振回路１９０１に接続される。
【０１１０】
次に、本実施の形態１１に係るアンテナ装置１９００の動作について説明する。ここで、直列共振回路１９０１は、金属回転ヒンジ１０８で動作される周波数の電流を通過させ、放射素子４０３で動作される周波数の電流を遮断させるインダクタおよびコンデンサから構成されるものとする。
【０１１１】
このアンテナ装置１９００において、例えば、金属回転ヒンジ１０８が放射素子４０３に比べて体積が小さい金属体である場合、高周波数帯の周波数ｆ２で用いる。すなわち、周波数ｆ２においては、給電部４０１から多周波整合回路４０２、放射素子４０３および直列共振回路１９０１を介して金属回転ヒンジ１０８に給電される。低周波数帯の周波数ｆ１においては、直列共振回路１９０１によって周波数ｆ１の電流が遮断されるため、放射素子４０３に給電される。ここで、放射素子４０３は、周波数ｆ１において共振する素子長としている。
【０１１２】
さらに、周波数ｆ１、周波数ｆ２および周波数ｆ３は、周波数ｆ１＜周波数ｆ２＜周波数ｆ３の関係にあり、直列共振回路１９０１は、周波数ｆ２の電流を通過させ、周波数ｆ１および周波数ｆ３の電流を遮断させるインダクタおよびコンデンサから構成される形態も構成できる。
【０１１３】
この場合、放射素子４０３が金属回転ヒンジ１０８に比べて体積が大きい金属体であることから低周波数帯の周波数ｆ１において用いるとともに、高次モードの共振である周波数ｆ３においても用いる。すなわち、周波数ｆ１および周波数ｆ３においては、直列共振回路１９０１によって周波数ｆ１および周波数ｆ３の電流が遮断されるため、放射素子４０３に給電される。ここで、放射素子４０３は、周波数ｆ１および周波数ｆ３において共振する素子長としている。周波数ｆ２においては、給電部４０１から多周波整合回路４０２、放射素子４０３および直列共振回路１９０１を介して金属回転ヒンジ１０８に給電される。
【０１１４】
このように金属回転ヒンジ１０８は、アンテナ素子として兼用することで、省スペース化を図っている。また、放射素子４０３を設けることによりマルチバンド化を図っている。
【０１１５】
放射素子４０３は、携帯型無線端末１００の通話使用時において、金属回転ヒンジ１０８と比較して頬から遠隔の位置に配置される。このように、放射素子４０３は金属回転ヒンジ１０８と比較して通話時において頬、すなわち人体頭部から離れた位置に配置されているため、ＳＡＲの低減化を図ることができる。また、直列共振回路１９０１を設け、各アンテナ間のアイソレーション特性を確保しているため、アンテナ特性の高性能化を図ることができる。
【０１１６】
上述のように、本実施の形態１１に係るアンテナ装置１９００によれば、小型化、マルチバンド化および低ＳＡＲ化を実現するアンテナ装置を提供することができる。
【０１１７】
（実施の形態１２）
図２０は、本発明の実施の形態１２に係るアンテナ装置の構成を示す概略斜視図である。本発明の実施の形態１２は、既に説明した本発明の実施の形態１１における直列共振回路が並列共振回路である点に特徴がある。これにより、金属回転ヒンジを高周波数ｆ２のアンテナ素子として兼用し、放射素子は、低周波数ｆ１のアンテナ素子として動作させることができる。また、放射素子で動作させる周波数ｆ１またはｆ２以外の複数の周波数を金属回転ヒンジで動作させることも可能となる。
【０１１８】
図２０に示すように、本実施の形態１２に係るアンテナ装置２０００は、金属回転ヒンジ１０８、第１回路基板２０１、給電部４０１、多周波整合回路４０２、放射素子４０３、並列共振回路２００１を備えている。
【０１１９】
図２０において、第１回路基板２０１は、第１筐体１０１内に設けられ、網掛け部分は、アンテナ装置２０００のグラウンドであり、この網掛け部分には図示しない無線送受信回路等が実装される。多周波整合回路４０２は、給電部４０１に接続される。放射素子４０３は、多周波整合回路４０２に接続される。並列共振回路２００１は、放射素子４０３に接続される。金属回転ヒンジ１０８は、並列共振回路２００１に接続される。
【０１２０】
次に、本実施の形態１２に係るアンテナ装置２０００の動作について説明する。ここで、並列共振回路２００１は、金属回転ヒンジ１０８で動作される周波数の電流を通過させ、放射素子４０３で動作される周波数の電流を遮断させるインダクタおよびコンデンサから構成されるものとする。
【０１２１】
このアンテナ装置２０００において、例えば、金属回転ヒンジ１０８が放射素子４０３に比べて体積が小さい金属体である場合、高周波数帯の周波数ｆ２で用いる。すなわち、周波数ｆ２においては、給電部４０１から多周波整合回路４０２、放射素子４０３および並列共振回路２００１を介して金属回転ヒンジ１０８に給電される。低周波数帯の周波数ｆ１においては、並列共振回路２００１によって周波数ｆ１の電流が遮断されるため、放射素子４０３に給電される。ここで、放射素子４０３は、周波数ｆ１において共振する素子長としている。
【０１２２】
また、周波数ｆ１、周波数ｆ２および周波数ｆ３は、周波数ｆ１＜周波数ｆ２＜周波数ｆ３の関係にあり、並列共振回路２００１は、周波数ｆ1および周波数３の電流を通過させ、周波数ｆ２の電流を遮断させるインダクタおよびコンデンサから構成される形態も構成できる。
【０１２３】
例えば、金属回転ヒンジ１０８が放射素子４０３に比べて体積が大きい金属体である場合、低周波数帯の周波数ｆ１において用いるとともに、高次モードの共振である周波数ｆ３においても用いる。すなわち、周波数ｆ１および周波数ｆ３においては、給電部４０１から多周波整合回路４０２、放射素子４０３および並列共振回路２００１を介して金属回転ヒンジ１０８に給電される。周波数ｆ２においては、並列共振回路２００１によって周波数ｆ２の電流が遮断されるため、放射素子４０３に給電される。ここで、放射素子４０３は、周波数ｆ２において共振する素子長としている。
【０１２４】
このように金属回転ヒンジ１０８は、アンテナ素子として兼用することで、省スペース化を図っている。また、放射素子４０３を設けることによりマルチバンド化を図っている。
【０１２５】
放射素子４０３は、携帯型無線端末１００の通話使用時において、金属回転ヒンジ１０８と比較して頬から遠隔の位置に配置される。このように、放射素子４０３は金属回転ヒンジ１０８と比較して通話時において頬、すなわち人体頭部から離れた位置に配置されているため、ＳＡＲの低減化を図ることができる。また、並列共振回路２００１を設け、各アンテナ間のアイソレーション特性を確保しているため、アンテナ特性の高性能化を図ることができる。
【０１２６】
上述のように、本実施の形態１２に係るアンテナ装置２０００によれば、小型化、マルチバンド化および低ＳＡＲ化を実現するアンテナ装置を提供することができる。
【０１２７】
（実施の形態１３）
図２１は、本発明の実施の形態１３に係るアンテナ装置の構成を示す概略斜視図である。本発明の実施の形態１３は、既に説明した本発明の実施の形態１１における直列共振回路、または実施の形態１２における並列共振回路がフィルタ回路である点に特徴がある。これにより、金属回転ヒンジおよび放射素子は、各々、複数の周波数帯で動作させることも可能となる。
【０１２８】
図２１に示すように、本実施の形態１３に係るアンテナ装置２１００は、金属回転ヒンジ１０８、第１回路基板２０１、給電部４０１、多周波整合回路４０２、放射素子４０３、フィルタ回路２１０１を備えている。
【０１２９】
図２１において、第１回路基板２０１は、第１筐体１０１内に設けられ、網掛け部分は、アンテナ装置２１００のグラウンドであり、この網掛け部分には図示しない無線送受信回路等が実装される。多周波整合回路４０２は、給電部４０１に接続される。放射素子４０３は、多周波整合回路４０２に接続される。フィルタ回路２１０１は、放射素子４０３に接続される。金属回転ヒンジ１０８は、フィルタ回路２１０１に接続される。
【０１３０】
次に、本実施の形態１３に係るアンテナ装置２１００の動作について説明する。ここで、フィルタ回路２１０１は、金属回転ヒンジ１０８で動作される周波数の電流を通過させ、放射素子４０３で動作される周波数の電流を遮断させるローパスフィルタ、ハイパスフィルタ、バンドパスフィルタ、またはバンドリジェクトフィルタ等のフィルタ回路から構成されるものとする。
【０１３１】
このように金属回転ヒンジ１０８は、アンテナ素子として兼用することで、省スペース化を図っている。また、放射素子４０３を設けることによりマルチバンド化を図っている。
【０１３２】
放射素子４０３は、携帯型無線端末１００の通話使用時において、金属回転ヒンジ１０８と比較して頬から遠隔の位置に配置される。このように、放射素子４０３は金属回転ヒンジ１０８と比較して通話時において頬、すなわち人体頭部から離れた位置に配置されているため、ＳＡＲの低減化を図ることができる。また、フィルタ回路２１０１を設け、各アンテナ間のアイソレーション特性を確保しているため、アンテナ特性の高性能化を図ることができる。
【０１３３】
上述のように、本実施の形態１３に係るアンテナ装置２１００によれば、小型化、マルチバンド化および低ＳＡＲ化を実現するアンテナ装置を提供することができる。
【０１３４】
（実施の形態１４）
図２２は、本発明の実施の形態１４に係るアンテナ装置の構成を示す概略斜視図である。本発明の実施の形態１４は、既に説明した本発明の実施の形態１３におけるフィルタ回路の配置位置を変更した点に特徴がある。
【０１３５】
図２２に示すように、本実施の形態１４に係るアンテナ装置２２００は、金属回転ヒンジ１０８、第１回路基板２０１、給電部４０１、多周波整合回路４０２、放射素子４０３、フィルタ回路２２０１を備えている。
【０１３６】
図２２において、第１回路基板２０１は、第１筐体１０１内に設けられ、網掛け部分は、アンテナ装置２２００のグラウンドであり、この網掛け部分には図示しない無線送受信回路等が実装される。多周波整合回路４０２は、給電部４０１に接続される。金属回転ヒンジ１０８は、多周波整合回路４０２に接続される。フィルタ回路２２０１は、金属回転ヒンジ１０８に接続される。放射素子４０３は、フィルタ回路２２０１に接続される。
【０１３７】
これにより、前記放射素子４０３は、前記金属回転ヒンジ１０８の背面、または図示しない前記第２筐体１０２内に配置することが可能となる。
【０１３８】
次に、本実施の形態１４に係るアンテナ装置２２００の動作について説明する。ここで、フィルタ回路２２０１は、金属回転ヒンジ１０８で動作される周波数の電流を遮断させ、放射素子４０３で動作される周波数の電流を通過させる直列共振回路、並列共振回路、ローパスフィルタ、ハイパスフィルタ、バンドパスフィルタ、またはバンドリジェクトフィルタ等のフィルタ回路から構成されるものとする。
【０１３９】
このように金属回転ヒンジ１０８は、アンテナ素子として兼用することで、省スペース化を図っている。また、放射素子４０３を設けることによりマルチバンド化を図っている。
【０１４０】
放射素子４０３は、携帯型無線端末１００の通話使用時において、金属回転ヒンジ１０８と比較して頬から遠隔の位置に配置される。このように、放射素子４０３は金属回転ヒンジ１０８と比較して通話時において頬、すなわち人体頭部から離れた位置に配置されているため、ＳＡＲの低減化を図ることができる。また、フィルタ回路２２０１を設け、各アンテナ間のアイソレーション特性を確保しているため、アンテナ特性の高性能化を図ることができる。
【０１４１】
上述のように、本実施の形態１４に係るアンテナ装置２２００によれば、小型化、マルチバンド化および低ＳＡＲ化を実現するアンテナ装置を提供することができる。
【０１４２】
（実施の形態１５）
図２３は、本発明の実施の形態１５に係るアンテナ装置の構成を示す概略斜視図である。本発明の実施の形態１５は、既に説明した本発明の実施の形態１３における給電部からの給電経路を変更した点に特徴がある。
図２３に示すように、本実施の形態１５に係るアンテナ装置２３００は、金属回転ヒンジ１０８、第１回路基板２０１、給電部４０１、多周波整合回路４０２、放射素子４０３、フィルタ回路２３０１を備えている。
【０１４３】
図２３において、第１回路基板２０１は、第１筐体１０１内に設けられ、網掛け部分は、アンテナ装置２３００のグラウンドであり、この網掛け部分には図示しない無線送受信回路等が実装される。多周波整合回路４０２は、給電部４０１に接続される。フィルタ回路２３０１は、多周波整合回路４０２に接続される。金属回転ヒンジ１０８は、フィルタ回路２３０１に接続される。放射素子４０３は、多周波整合回路４０２に接続される。
【０１４４】
次に、本実施の形態１５に係るアンテナ装置２３００の動作について説明する。ここで、フィルタ回路２３０１は、金属回転ヒンジ１０８で動作される周波数の電流を通過させ、放射素子４０３で動作される周波数の電流を遮断させる直列共振回路、並列共振回路、ローパスフィルタ、ハイパスフィルタ、バンドパスフィルタ、またはバンドリジェクトフィルタ等のフィルタ回路から構成されるものとする。
【０１４５】
このように金属回転ヒンジ１０８は、アンテナ素子として兼用することで、省スペース化を図っている。また、放射素子４０３を設けることによりマルチバンド化を図っている。
【０１４６】
放射素子４０３は、携帯型無線端末１００の通話使用時において、金属回転ヒンジ１０８と比較して頬から遠隔の位置に配置される。このように、放射素子４０３は金属回転ヒンジ１０８と比較して通話時において頬、すなわち人体頭部から離れた位置に配置されているため、ＳＡＲの低減化を図ることができる。また、フィルタ回路２３０１を設け、各アンテナ間のアイソレーション特性を確保しているため、アンテナ特性の高性能化を図ることができる。
【０１４７】
上述のように、本実施の形態１５に係るアンテナ装置２３００によれば、小型化、マルチバンド化および低ＳＡＲ化を実現するアンテナ装置を提供することができる。
【０１４８】
（実施の形態１６）
図２４は、本発明の実施の形態１６に係るアンテナ装置の構成を示す概略斜視図である。本発明の実施の形態１６は、既に説明した本発明の実施の形態１５におけるフィルタ回路の配置位置を変更した点に特徴がある。
【０１４９】
図２４に示すように、本実施の形態１６に係るアンテナ装置２４００は、金属回転ヒンジ１０８、第１回路基板２０１、給電部４０１、多周波整合回路４０２、放射素子４０３、フィルタ回路２４０１を備えている。
【０１５０】
図２４において、第１回路基板２０１は、第１筐体１０１内に設けられ、網掛け部分は、アンテナ装置２４００のグラウンドであり、この網掛け部分には図示しない無線送受信回路等が実装される。多周波整合回路４０２は、給電部４０１に接続される。金属回転ヒンジ１０８は、多周波整合回路４０２に接続される。フィルタ回路２４０１は、多周波整合回路４０２に接続される。放射素子４０３は、フィルタ回路２４０１に接続される。
【０１５１】
次に、本実施の形態１６に係るアンテナ装置２４００の動作について説明する。ここで、フィルタ回路２４０１は、放射素子４０３で動作される周波数の電流を通過させ、金属回転ヒンジ１０８で動作される周波数の電流を遮断させる直列共振回路、並列共振回路、ローパスフィルタ、ハイパスフィルタ、バンドパスフィルタ、またはバンドリジェクトフィルタ等のフィルタ回路から構成されるものとする。
【０１５２】
このように金属回転ヒンジ１０８は、アンテナ素子として兼用することで、省スペース化を図っている。また、放射素子４０３を設けることによりマルチバンド化を図っている。
【０１５３】
放射素子４０３は、携帯型無線端末１００の通話使用時において、金属回転ヒンジ１０８と比較して頬から遠隔の位置に配置される。このように、放射素子４０３は金属回転ヒンジ１０８と比較して通話時において頬、すなわち人体頭部から離れた位置に配置されているため、ＳＡＲの低減化を図ることができる。また、フィルタ回路２４０１を設け、各アンテナ間のアイソレーション特性を確保しているため、アンテナ特性の高性能化を図ることができる。
【０１５４】
上述のように、本実施の形態１６に係るアンテナ装置２４００によれば、小型化、マルチバンド化および低ＳＡＲ化を実現するアンテナ装置を提供することができる。
【０１５５】
（実施の形態１７）
図２５は、本発明の実施の形態１７に係るアンテナ装置の構成を示す概略斜視図である。本発明の実施の形態１７は、既に説明した本発明の実施の形態１５におけるフィルタ回路を放射素子にも備えた点に特徴がある。
【０１５６】
図２５に示すように、本実施の形態１７に係るアンテナ装置２５００は、金属回転ヒンジ１０８、第１回路基板２０１、給電部４０１、多周波整合回路４０２、放射素子４０３、フィルタ回路２５０１、フィルタ回路２５０２を備えている。
【０１５７】
図２５において、第１回路基板２０１は、第１筐体１０１内に設けられ、網掛け部分は、アンテナ装置２５００のグラウンドであり、この網掛け部分には図示しない無線送受信回路等が実装される。多周波整合回路４０２は、給電部４０１に接続される。フィルタ回路２５０１は、多周波整合回路４０２に接続される。金属回転ヒンジ１０８は、フィルタ回路２５０１に接続される。フィルタ回路２５０２は、多周波整合回路４０２に接続される。放射素子４０３は、フィルタ回路２５０２に接続される。
【０１５８】
これにより、前記放射素子４０３と前記金属回転ヒンジ１０８との高アイソレーション特性の確保が容易となる。
【０１５９】
次に、本実施の形態１７に係るアンテナ装置２５００の動作について説明する。ここで、フィルタ回路２５０１は、金属回転ヒンジ１０８で動作される周波数の電流を通過させ、放射素子４０３で動作される周波数の電流を遮断させる直列共振回路、並列共振回路、ローパスフィルタ、ハイパスフィルタ、バンドパスフィルタ、またはバンドリジェクトフィルタ等のフィルタ回路から構成されるものとする。フィルタ回路２５０２は、放射素子４０３で動作される周波数の電流を通過させ、金属回転ヒンジ１０８で動作される周波数の電流を遮断させる直列共振回路、並列共振回路、ローパスフィルタ、ハイパスフィルタ、バンドパスフィルタ、またはバンドリジェクトフィルタ等のフィルタ回路から構成されるものとする。
【０１６０】
このように金属回転ヒンジ１０８は、アンテナ素子として兼用することで、省スペース化を図っている。放射素子４０３は、携帯型無線端末１００の通話使用時において、金属回転ヒンジ１０８と比較して頬から遠隔の位置に配置される。このように、放射素子４０３は金属回転ヒンジ１０８と比較して通話時において頬、すなわち人体頭部から離れた位置に配置されているため、ＳＡＲの低減化を図ることができる。また、フィルタ回路２５０１およびフィルタ回路２５０２を設け、各アンテナ間のアイソレーション特性を確保しているため、アンテナ特性の高性能化を図ることができる。
【０１６１】
上述のように、本実施の形態１７に係るアンテナ装置２５００によれば、小型化、マルチバンド化および低ＳＡＲ化を実現するアンテナ装置を提供することができる。
【０１６２】
（実施の形態１８）
図２６は、本発明の実施の形態１８に係るアンテナ装置の構成を示す概略斜視図である。本発明の実施の形態１８は、既に説明した本発明の実施の形態１１から１７において金属回転ヒンジ１０８で動作される周波数で共振する地線を追加した点に特徴がある。なお、本説明では、地線は１素子として記載するが、複数の周波数に対応できるように、複数の地線を設けたり、地線間にフィルタ回路を接続した形状等にしたりしてもよい。
【０１６３】
図２６に示すように、本実施の形態１８に係るアンテナ装置２６００は、金属回転ヒンジ１０８、第１回路基板２０１、給電部４０１、多周波整合回路４０２、放射素子４０３、フィルタ回路２６０１、地線２６０２を備えている。
【０１６４】
図２６において、第１回路基板２０１は、第１筐体１０１内に設けられ、網掛け部分は、アンテナ装置２６００のグラウンドであり、この網掛け部分には図示しない無線送受信回路等が実装される。多周波整合回路４０２は、給電部４０１に接続される。放射素子４０３は、多周波整合回路４０２に接続される。フィルタ回路２６０１は、放射素子４０３に接続される。金属回転ヒンジ１０８は、フィルタ回路２６０１に接続される。地線２６０２は、給電部４０１近傍のグラウンドに接続される。
【０１６５】
次に、本実施の形態１８に係るアンテナ装置２６００の動作について説明する。ここで、フィルタ回路２６０１は、金属回転ヒンジ１０８で動作される周波数の電流を通過させ、放射素子４０３で動作される周波数の電流を遮断させる直列共振回路、並列共振回路、ローパスフィルタ、ハイパスフィルタ、バンドパスフィルタ、またはバンドリジェクトフィルタ等のフィルタ回路から構成されるものとする。地線２６０２は、金属回転ヒンジ１０８で動作される周波数で共振する長さを有するものとする。
【０１６６】
このように金属回転ヒンジ１０８は、アンテナ素子として兼用することで、省スペース化を図っている。また、給電部４０１近傍のグラウンドに地線２６０２を設け、この地線２６０２に金属回転ヒンジ１０８で動作される周波数の電流を誘起させることにより、第１回路基板２０１への漏洩電流の抑圧または広帯域化を図っている。
【０１６７】
放射素子４０３は、携帯型無線端末１００の通話使用時において、金属回転ヒンジ１０８と比較して頬から遠隔の位置に配置される。このように、放射素子４０３は金属回転ヒンジ１０８と比較して通話時において頬、すなわち人体頭部から離れた位置に配置されているため、ＳＡＲの低減化を図ることができる。また、フィルタ回路２６０１を設け、各アンテナ間のアイソレーション特性を確保しているため、アンテナ特性の高性能化を図ることができる。
【０１６８】
上述のように、本実施の形態１８に係るアンテナ装置２６００によれば、小型化、マルチバンド化および低ＳＡＲ化を実現するアンテナ装置を提供することができる。
【０１６９】
（実施の形態１９）
図２７は、本発明の実施の形態１９に係るアンテナ装置の構成を示す概略斜視図である。本発明の実施の形態１９は、既に説明した本発明の実施の形態１１から１７において放射素子４０３で動作される周波数で共振する地線を追加した点に特徴がある。なお、本説明では、地線は１素子として記載するが、複数の周波数に対応できるように、複数の地線を設けたり、地線間にフィルタ回路を接続した形状等にしたりしてもよい。
【０１７０】
図２７に示すように、本実施の形態１９に係るアンテナ装置２７００は、金属回転ヒンジ１０８、第１回路基板２０１、給電部４０１、多周波整合回路４０２、放射素子４０３、フィルタ回路２７０１、地線２７０２を備えている。
【０１７１】
図２７において、第１回路基板２０１は、第１筐体１０１内に設けられ、網掛け部分は、アンテナ装置２７００のグラウンドであり、この網掛け部分には図示しない無線送受信回路等が実装される。多周波整合回路４０２は、給電部４０１に接続される。放射素子４０３は、多周波整合回路４０２に接続される。フィルタ回路２７０１は、放射素子４０３に接続される。金属回転ヒンジ１０８は、フィルタ回路２７０１に接続される。地線２７０２は、給電部４０１近傍のグラウンドに接続される。
【０１７２】
次に、本実施の形態１９に係るアンテナ装置２７００の動作について説明する。ここで、フィルタ回路２７０１は、金属回転ヒンジ１０８で動作される周波数の電流を通過させ、放射素子４０３で動作される周波数の電流を遮断させる直列共振回路、並列共振回路、ローパスフィルタ、ハイパスフィルタ、バンドパスフィルタ、またはバンドリジェクトフィルタ等のフィルタ回路から構成されるものとする。地線２７０２は、放射素子４０３で動作される周波数で共振する長さを有するものとする。
【０１７３】
このように金属回転ヒンジ１０８は、アンテナ素子として兼用することで、省スペース化を図っている。また、給電部４０１近傍のグラウンドに地線２７０２を設け、この地線２７０２に金属回転ヒンジ１０８で動作される周波数の電流を誘起させることにより、第１回路基板２０１への漏洩電流の抑圧または広帯域化を図っている。
【０１７４】
放射素子４０３は、携帯型無線端末１００の通話使用時において、金属回転ヒンジ１０８と比較して頬から遠隔の位置に配置される。このように、放射素子４０３は金属回転ヒンジ１０８と比較して通話時において頬、すなわち人体頭部から離れた位置に配置されているため、ＳＡＲの低減化を図ることができる。また、フィルタ回路２７０１を設け、各アンテナ間のアイソレーション特性を確保しているため、アンテナ特性の高性能化を図ることができる。
【０１７５】
上述のように、本実施の形態１９に係るアンテナ装置２７００によれば、小型化、マルチバンド化および低ＳＡＲ化を実現するアンテナ装置を提供することができる。
【０１７６】
（実施の形態２０）
図２８は、本発明の実施の形態２０に係るアンテナ装置の構成を示す概略斜視図である。本発明の実施の形態２０は、既に説明した本発明の実施の形態１８における地線が金属回転ヒンジ１０８で動作される周波数および放射素子４０３で動作される周波数で共振する点に特徴がある。なお、本説明では、地線は、地線間にフィルタ回路を接続した１素子として記載するが、必要に応じて複数の素子を設けたり、フィルタ回路を増やした形状等にしたりしてもよい。
【０１７７】
図２８に示すように、本実施の形態２０に係るアンテナ装置２８００は、金属回転ヒンジ１０８、第１回路基板２０１、給電部４０１、多周波整合回路４０２、放射素子４０３、フィルタ回路２８０１、地線２８０２、フィルタ回路２８０３、放射素子２８０４を備えている。
【０１７８】
図２８において、第１回路基板２０１は、第１筐体１０１内に設けられ、網掛け部分は、アンテナ装置２８００のグラウンドであり、この網掛け部分には図示しない無線送受信回路等が実装される。多周波整合回路４０２は、給電部４０１に接続される。放射素子４０３は、多周波整合回路４０２に接続される。フィルタ回路２８０１は、放射素子４０３に接続される。金属回転ヒンジ１０８は、フィルタ回路２８０１に接続される。地線２８０２は、給電部４０１近傍のグラウンドに接続される。フィルタ回路２８０３は、地線２８０２に接続される。放射素子２８０４は、フィルタ回路２８０３に接続される。
【０１７９】
次に、本実施の形態２０に係るアンテナ装置２８００の動作について説明する。ここで、フィルタ回路２８０１は、金属回転ヒンジ１０８で動作される周波数の電流を通過させ、放射素子４０３で動作される周波数の電流を遮断させる直列共振回路、並列共振回路、ローパスフィルタ、ハイパスフィルタ、バンドパスフィルタ、またはバンドリジェクトフィルタ等のフィルタ回路から構成されるものとする。地線２８０２、フィルタ回路２８０３および放射素子２８０４は、金属回転ヒンジ１０８および放射素子４０３で動作される周波数で共振する長さを有するものとする。
【０１８０】
このように金属回転ヒンジ１０８は、アンテナ素子として兼用することで、省スペース化を図っている。また、給電部４０１近傍のグラウンドに地線２８０２、フィルタ回路２８０３および放射素子２８０４を設け、これらに金属回転ヒンジ１０８および放射素子４０３で動作される周波数の電流を誘起させることにより、第１回路基板２０１への漏洩電流の抑圧または広帯域化を図っている。
【０１８１】
放射素子４０３は、携帯型無線端末１００の通話使用時において、金属回転ヒンジ１０８と比較して頬から遠隔の位置に配置される。このように、放射素子４０３は金属回転ヒンジ１０８と比較して通話時において頬、すなわち人体頭部から離れた位置に配置されているため、ＳＡＲの低減化を図ることができる。また、フィルタ回路２８０１を設け、各アンテナ間のアイソレーション特性を確保しているため、アンテナ特性の高性能化を図ることができる。
【０１８２】
上述のように、本実施の形態２０に係るアンテナ装置２８００によれば、小型化、マルチバンド化および低ＳＡＲ化を実現するアンテナ装置を提供することができる。
【産業上の利用可能性】
【０１８３】
本発明に係るアンテナ装置は、簡単な構造で大型化を招くことなく、マルチバンド化および低ＳＡＲ化を図ることができるため、携帯型無線端末におけるアンテナ装置として有用である。
【符号の説明】
【０１８４】
１０，２０，４００，８００，９００，１０００，１１００，１２００，１３００，１４００，１５００，１６００，１９００，２０００，２１００，２２００，２３００，２４００，２５００，２６００，２７００，２８００    アンテナ装置
１１，１０１    第１筐体
１２，１０２    第２筐体
１３，１０３    ヒンジ部
１４，１０８    金属回転ヒンジ
２１    セルラーアンテナ
２２    デジタルＴＶアンテナ
２３，２４，９０１，１００１，１１０１，１２０１，１３０１，１３０２，１４０１，１５０１，１６０１，１６０３，２１０１，２２０１，２３０１，２４０１，２５０１，２５０２，２６０１，２７０１，２８０１，２８０３    フィルタ回路
１００，２００，３００    携帯型無線端末
１０４    操作部
１０５    マイク
１０６    表示部
１０７    受話部
１０９    第１部材
１１０    第２部材
１１１    第１樹脂部
１１２    第２樹脂部
２０１    第１回路基板
２０２    第２回路基板
２０３    信号ケーブル
２０４，２０５    コネクタ
４０１    給電部
４０２    多周波整合回路
４０３，１６０４，２８０４    放射素子
４０４，１９０１    直列共振回路
５００    アンテナ装置を搭載した携帯型無線端末と人体頭部の通話時における関係を示す概略図
５０１    人体頭部
６００    携帯型無線端末の開時におけるインピーダンス特性の一例
７００    携帯型無線端末の閉時におけるインピーダンス特性の一例
８０１，２００１    並列共振回路
１４０２，１５０２，１６０２，２６０２，２７０２，２８０２    地線
【図１】
2010288259.tif 000003
【図２】
2010288259.tif 000004
【図３】
2010288259.tif 000005
【図４】
2010288259.tif 000006
【図５】
2010288259.tif 000007
【図６】
2010288259.tif 000008
【図７】
2010288259.tif 000009
【図８】
2010288259.tif 000010
【図９】
2010288259.tif 000011
【図１０】
2010288259.tif 000012
【図１１】
2010288259.tif 000013
【図１２】
2010288259.tif 000014
【図１３】
2010288259.tif 000015
【図１４】
2010288259.tif 000016
【図１５】
2010288259.tif 000017
【図１６】
2010288259.tif 000018
【図１７】
2010288259.tif 000019
【図１８】
2010288259.tif 000020
【図１９】
2010288259.tif 000021
【図２０】
2010288259.tif 000022
【図２１】
2010288259.tif 000023
【図２２】
2010288259.tif 000024
【図２３】
2010288259.tif 000025
【図２４】
2010288259.tif 000026
【図２５】
2010288259.tif 000027
【図２６】
2010288259.tif 000028
【図２７】
2010288259.tif 000029
【図２８】
2010288259.tif 000030